(57)【要約】【課題】  エレベータの各種操作を、フットスイッチで容易に実行することが可能なフットスイッチを利用したエレベータ制御装置およびエレベータ制御方法を提供する。【解決手段】  実施形態によれば、エレベータ乗場またはエレベータかご内に設置されたフットスイッチに接続されるとともに、制御対象のエレベータに接続されたエレベータ制御装置は、動作内容特定部と、制御部とを備える。動作内容特定部は、前記フットスイッチで実行された特殊操作を検出し、当該特殊操作に基づいて、前記エレベータかごの呼び登録以外の動作内容を特定する。制御部は、前記動作内容特定部で特定された動作内容で前記エレベータの動作を制御する。【選択図】図１
2014034430.tif 000002
【特許請求の範囲】
【請求項１】
エレベータ乗場またはエレベータかご内に設置されたフットスイッチに接続されるとともに、制御対象のエレベータに接続されたエレベータ制御装置において、
前記フットスイッチで実行された特殊操作を検出し、当該特殊操作に基づいて、前記エレベータかごの呼び登録以外の動作内容を特定する動作内容特定部と、
前記動作内容特定部で特定された動作内容で前記エレベータの動作を制御する制御部と
を備えることを特徴とするフットスイッチを利用したエレベータ制御装置。
【請求項２】
前記エレベータは、エレベータ乗場またはエレベータかご内に出力装置を有し、
前記制御部は、前記エレベータの動作を制御するとともに、当該制御内容を報知するための報知情報を前記出力装置から出力させる
ことを特徴とする請求項１に記載のフットスイッチを利用したエレベータ制御装置。
【請求項３】
前記フットスイッチは複数個設置され、
前記動作内容特定部は、前記複数のフットスイッチの操作の組み合わせに基づいて、前記動作内容を特定する
ことを特徴とする請求項１または２に記載のフットスイッチを利用したエレベータ制御装置。
【請求項４】
前記動作内容特定部は、エレベータ乗場またはエレベータかご内に設置された、手で操作させるための呼び登録ボタンまたは行き先階登録ボタンの操作と、前記フットスイッチの操作との組み合わせに基づいて、前記動作内容を特定する
ことを特徴とする請求項１〜３いずれか１項に記載のフットスイッチを利用したエレベータ制御装置。
【請求項５】
エレベータ乗場またはエレベータかご内に設置されたフットスイッチに接続されるとともに、制御対象のエレベータに接続されたエレベータ制御装置が、
前記フットスイッチで実行された特殊操作を検出し、
当該特殊操作に基づいて、前記エレベータかごの呼び登録以外の動作内容を特定し、
特定された動作内容で前記エレベータの動作を制御する
ことを特徴とするフットスイッチを利用したエレベータ制御方法。
【発明の詳細な説明】
【技術分野】
【０００１】
本発明の実施形態は、フットスイッチを利用したエレベータ制御装置およびエレベータ制御方法に関する。
【背景技術】
【０００２】
従来、エレベータの動作に関する操作は、利用者によるエレベータ乗場やエレベータかご内のボタン操作により行われる。
【０００３】
しかし、大きな荷物を持っている利用者や手が不自由な利用者、または病院で衛生上の理由により手が使用できない医師などは、エレベータ乗場ボタンやエレベータかご内ボタンの操作ができず、一人でエレベータを利用することが困難であった。
【０００４】
これに鑑みエレベータの乗場やかご内にフットスイッチを設置し、このフットスイッチにより行き先階の指定等の操作が可能なエレベータが提案されている。
【先行技術文献】
【特許文献】
【０００５】
【特許文献１】特開平１１−７９５７６号公報
【発明の概要】
【発明が解決しようとする課題】
【０００６】
エレベータの動作に関する操作には、上述したような利用者が行うものの他、不停止階の設定解除、扉の開閉速度の変更、ドア開時間の延長等の設定変更を行う管理者や、病院または介護施設等の管理者等、特定の権限を有する人により実行されるものがある。
【０００７】
これらの操作については、管理者が管理室に行って制御盤を操作したり、エレベータ乗場やエレベータかご内において特殊なボタン操作を行うことにより実行されていたが、フットスイッチを利用してより容易に操作可能とする技術が望まれていた。
【０００８】
本発明は上記事情に鑑みてなされたものであり、エレベータの各種操作を、フットスイッチで容易に実行することが可能なフットスイッチを利用したエレベータ制御装置およびエレベータ制御方法を提供することを目的とする。
【課題を解決するための手段】
【０００９】
上記目的を達成するための実施形態によれば、エレベータ乗場またはエレベータかご内に設置されたフットスイッチに接続されるとともに、制御対象のエレベータに接続されたエレベータ制御装置は、動作内容特定部と、制御部とを備える。動作内容特定部は、前記フットスイッチで実行された特殊操作を検出し、当該特殊操作に基づいて、前記エレベータかごの呼び登録以外の動作内容を特定する。制御部は、前記動作内容特定部で特定された動作内容で前記エレベータの動作を制御する。
【図面の簡単な説明】
【００１０】
【図１】一実施形態によるフットスイッチを利用したエレベータ制御装置を用いたエレベータシステムのエレベータ乗場における全体図。
【図２】一実施形態によるフットスイッチを利用したエレベータ制御装置で用いるフットスイッチの一例を示す外観図。
【図３】一実施形態によるフットスイッチを利用したエレベータ制御装置で用いる操作盤の一例を示す外観図。
【図４】一実施形態によるフットスイッチを利用したエレベータ制御装置の動作を示すフローチャート。
【発明を実施するための形態】
【００１１】
〈一実施形態によるフットスイッチを利用したエレベータシステムの構成〉
本発明の一実施形態によるフットスイッチを利用したエレベータシステムの構成について、図１〜図３を参照して説明する。
【００１２】
本実施形態によるエレベータシステム１は、エレベータ乗場の壁に埋め込まれた箱状のフットスイッチケース１０内に設置されたフットスイッチ１１と、制御対象のエレベータに関する設備、例えばエレベータかご（図示せず）、エレベータ乗場の操作盤２０内の呼び登録ボタン２１や表示装置２２、乗りかご扉３０等とが、エレベータ制御装置４０に接続されて構成されている。
【００１３】
フットスイッチ１１は、呼び登録ボタン２１の下側で、乗り場床面高さとほぼ同一の高さに位置付けされ、主に利用者の足による操作で呼び登録を可能にするものである。フットスイッチ１１には、図２に示すようなプッシュボタン式スイッチに限らず、オルガンペダル式スイッチ、車のクラッチペダルのような吊り下げ式スイッチ、赤外線等を利用したセンサ式スイッチ、ジョイスティック式スイッチなど、足で操作可能なあらゆる形状のスイッチを利用することができる。
【００１４】
エレベータ制御装置４０は、呼び登録ボタン２１およびフットスイッチ１１の操作に基づいて、エレベータかご（図示せず）の昇降や乗りかご扉３０の開閉、および操作盤２０内の表示装置２２への情報表示等の動作内容を特定する動作内容特定部４１と、動作内容特定部で特定された動作内容で該当するエレベータの設備の動作を制御する制御部４２とを有する。
【００１５】
〈一実施形態によるフットスイッチを利用したエレベータシステムの動作〉
本実施形態によるフットスイッチ１１を利用したエレベータシステム１の動作について説明する。
【００１６】
エレベータの利用者によりエレベータ乗場のフットスイッチ１１が操作されると、エレベータ制御装置４０の動作内容特定部４１において検知され（Ｓ１）、エレベータの設備の動作内容が特定される。そして制御部４２により、特定された動作が実行されるように、エレベータ設備の動作が制御される。
【００１７】
本実施形態において動作内容特定部４１では、フットスイッチ１１で単発の押下操作（通常操作）が行われたことを検知したとき（Ｓ２の「YES」）にはエレベータかごの呼び登録が行われる（Ｓ３）。また、単発の押下操作以外の「特殊操作」が行われたとき（Ｓ２の「NO」）には、当該操作内容に対応して予め設定された動作内容が特定され（Ｓ４）、この動作内容に応じてエレベータ設備の動作が制御される（Ｓ５）。
【００１８】
フットスイッチ１１の特殊操作の内容と、当該特殊操作の内容に基づいて特定され実行される動作内容の例（１）〜（４）を、次に挙げる。
【００１９】
（１）フットスイッチ１１が所定回数（例えば３回）押下されると、これに基づいてエレベータの不停止階の設定解除処理が行われる。
【００２０】
（２）フットスイッチ１１が所定時間内に連打されると、これに基づいてエレベータかごのドア開閉速度が「高速」に切り替えられる。また、フットスイッチ１１が再度連打されると、これに基づいてエレベータかごのドア開閉速度が「低速」に切り替えられる。フットスイッチ１１が赤外線センサを利用したものである場合は、当該センサ付近で足を左右または上下に振ったり、前後に出し入れすることで、スイッチの連打として検知される。
【００２１】
（３）フットスイッチ１１が所定時間長押しされると、これに基づいてエレベータかご扉３０が開延長される。
【００２２】
（４）フットスイッチ１１が押下された回数に応じて、行き先階が特定され登録される。
【００２３】
また、ステップＳ５におけるエレベータ設備の動作の制御、またはステップＳ３におけるエレベータかごの呼び登録が行われるとともに、これらの制御内容を利用者に報知するための表示情報が生成され、操作盤２０の表示装置２２に表示される（Ｓ６）。また、エレベータかご内に表示装置を設置し、同様に表示情報を表示させるようにしてもよい。また、エレベータ乗場にスピーカを設置し、制御内容を利用者に報知するための音声情報を出力するようにしてもよい。
【００２４】
上記実施形態においてはフットスイッチ１１がエレベータ乗場に設置された場合について説明したが、エレベータかご内に設置し、フットスイッチ１１の操作内容に応じて乗りかご扉３０の開延長、閉指示、行き先階登録、ドア開閉速度制御等を実行し、またエレベータかご内の表示装置の表示制御等を行うようにしてもよい。
【００２５】
以上の本実施形態によれば、エレベータの利用者が荷物を持って手がふさがった状態で乗車したり、作業をしながら乗車する際にも、フットスイッチを利用することにより容易にエレベータの動作を制御する操作を行うことができる。本実施形態においては、フットスイッチで単発の押下操作以外の特殊操作を行うことで各種エレベータの動作内容を特定するようにしているため、一般利用者による誤操作やいたずら操作を防止することができる。
【００２６】
また上記実施形態においては箱状のフットスイッチケースがエレベータ乗場の壁に埋め込まれ、その中にフットスイッチが設置されている場合について説明したが、これには限定されず、フットスイッチを直接壁に設置したり、壁とは離れた場所に別途フットスイッチケースを設け、その中にフットスイッチを設置するようにしてもよい。また、フットスイッチケースに扉を設け、誤操作を防止しセキュリティを向上させるようにしてもよい。
【００２７】
また上記実施形態においては１つのエレベータに対し１つのフットスイッチが設置されている場合について説明したが、１つのエレベータに対し複数のフットスイッチを設置し、これらのフットスイッチの操作の組み合わせに基づいて、エレベータ設備の動作内容を特定するようにしてもよい。また、フットスイッチと、手で操作させるための操作盤の呼び登録ボタンやエレベータかご内の行き先階登録ボタンの操作との組み合わせに基づいて、エレベータ設備の動作内容を特定するようにしてもよい。このように複数のスイッチ操作の組み合わせでエレベータ設備の動作内容を特定することで、さらに多くの種類の動作内容を制御することが可能になる。
【００２８】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２９】
１…エレベータシステム
１０…フットスイッチケース
１１…フットスイッチ
２０…操作盤
２１…呼び登録ボタン
２２…表示装置
３０…乗りかご扉
４０…エレベータ制御装置
４１…動作内容特定部
４２…制御部
【図１】
2014034430.tif 000003
【図２】
2014034430.tif 000004
【図３】
2014034430.tif 000005
【図４】
2014034430.tif 000006